(57)【要約】【課題】電力消費の低い信号受信装置を提供する。【解決手段】区間設定部５は、１ＯＦＤＭシンボル区間のうち信号を受信する区間を設定する。電力制御部６は、１ＯＦＤＭシンボル区間のうち信号受信区間では、周波数変換部２およびＡ／Ｄ変換部３への電力の供給を行い、アンテナ１で受信した信号の周波数変換およびＡ／Ｄ変換が行われるようにする。一方、電力制御部６は、信号受信区間以外の区間では、周波数変換部２およびＡ／Ｄ変換部３への電力の供給を停止する。復調処理は、周波数変換およびＡ／Ｄ変換された信号受信区間の信号を用いて行う。１ＯＦＤＭシンボル区間のうち、一部の区間の信号を用いて復調処理を行ない、復調処理に用いない区間では周波数変換部２およびＡ／Ｄ変換部３への電力供給を行わないため、電力消費の低減化を図ることができる。【選択図】図１
2008199400.tif 000002
【特許請求の範囲】
【請求項１】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）信号の１ＯＦＤＭシンボル区間のうちの、受信するべき第１の区間を設定する設定手段と、
前記ＯＦＤＭ信号を受信するアンテナと、
前記アンテナで受信した前記ＯＦＤＭ信号を周波数変換して、変換ＯＦＤＭ信号を得る周波数変換手段と、
前記変換ＯＦＤＭ信号をＡ／Ｄ変換して、デジタルＯＦＤＭ信号を得るＡ／Ｄ変換手段と、
前記デジタルＯＦＤＭ信号の前記第１の区間に対応するデジタルＯＦＤＭ信号からＯＦＤＭシンボルを復調する復調手段と、
前記周波数変換手段と前記Ａ／Ｄ変換手段への電力の供給を制御する電力制御手段とを備え、
前記電力制御手段は、前記区間設定手段で設定されたＯＦＤＭシンボル区間中の第１の区間では前記周波数変換手段および前記Ａ／Ｄ変換手段への電力の供給を行い、前記第１の区間以外の第２の区間では、前記周波数変換手段および前記Ａ／Ｄ変換手段の少なくとも一部への電力の供給を停止する
ことを特徴とする信号受信装置。
【請求項２】
１ＯＦＤＭシンボル区間のうちのガードインターバル区間を除く区間の中央より前方を中心とする、あらかじめ定めた区間長を有する区間を前記第１の区間に設定することを前記設定手段に指示する指示手段をさらに備えることを特徴とする請求項１に記載の信号受信装置。
【請求項３】
１ＯＦＤＭシンボル区間のうちのガードインターバル区間を含む区間の中央より前方を中心とする、あらかじめ定めた区間長を有する区間を前記第１の区間に設定することを前記設定手段に指示する指示手段をさらに備えることを特徴とする請求項１に記載の信号受信装置。
【請求項４】
１ＯＦＤＭシンボル区間のうちのガードインターバル区間を除く区間の先頭を区間の開始とする、あらかじめ定めた区間長を有する区間を前記第１の区間に設定することを特徴とすることを前記設定手段に指示する指示手段をさらに備えることを特徴とする請求項１に記載の信号受信装置。
【請求項５】
前記設定手段は、第１の区間の区間長を、１ＯＦＤＭシンボル区間のうちガードインターバル区間を除く区間の区間長の１／２以上に設定することを特徴とする請求項１から請求項４のいずれか１項に記載の信号受信装置。
【請求項６】
前記復調手段は、
前記デジタルＯＦＤＭ信号のうちの前記第１の区間に含まれる、ある長さの第３の区間に対応するＯＦＤＭ信号を周波数変換して複数のフィルタバンク出力を得、
前記フィルタバンク出力ごとに、チャネル推定値と前記フィルタバンクの周波数特性およびサブキャリアの変調信号の候補から複数のレプリカを生成し、
前記フィルタバンク出力ごとに、前記フィルタバンク出力と前記レプリカとの間の誤差が最小となるレプリカを選択し最小レプリカを得、
前記フィルタバンク出力ごとに最小レプリカから、サブキャリアの変調信号を選択し選択変調信号を得、
前記選択変調信号を用いてＯＦＤＭシンボルの復調を行う
ことを特徴とする請求項１に記載の信号受信装置。
【請求項７】
前記復調手段は、
前記デジタルＯＦＤＭ信号のうちの前記第１の区間から前記長さの第３の区間を複数抽出し、抽出された区間ごとに前記複数のフィルタバンク出力を得、
前記レプリカを選択する際には、前記第３の区間ごとに前記フィルタバンク出力と前記生成されたレプリカとの間の誤差を求め、それらの誤差の和が最小となるレプリカを選択する
ことを特徴とする請求項６に記載の信号受信装置。
【請求項８】
前記復調手段は、
前記デジタルＯＦＤＭ信号のうちの前記第１の区間に含まれる、ある長さの第３の区間に対応するＯＦＤＭ信号を周波数変換して複数のフィルタバンク出力を得、
前記フィルタバンク出力ごとに、チャネル推定値と前記フィルタバンクの周波数特性およびサブキャリアの変調信号の候補から複数のレプリカを生成し、
前記フィルタバンク出力ごとに、前記フィルタバンク出力と前記レプリカとの間の誤差が最小となるレプリカを選択し最小レプリカを得、
前記フィルタバンク出力ごとに最小レプリカに含まれる成分のうち、復調対象のサブキャリアに対応する成分を除く成分を前記フィルタバンク出力から減算して軟判定値を生成し、
前記軟判定値を用いてＯＦＤＭシンボルの復調を行う
ことを特徴とする請求項１に記載の信号受信装置。
【請求項９】
前記復調手段は、
前記デジタルＯＦＤＭ信号のうちの前記第１の区間に含まれる、ある長さの第３の区間に対応するＯＦＤＭ信号を周波数変換して複数のフィルタバンク出力を得、
前記フィルタバンク出力ごとに、チャネル推定値と前記フィルタバンクの周波数特性およびサブキャリアの変調信号の候補から複数のレプリカを生成し、
前記フィルタバンク出力ごとに、前記フィルタバンク出力と前記レプリカとの間の誤差を算出し、
前記誤差から復調対象であるサブキャリアの変調信号の候補の各々に対する誤差の最小値を求め、
前記最小値を用いてＯＦＤＭシンボルの復調を行う
ことを特徴とする請求項１に記載の信号受信装置。
【請求項１０】
前記設定手段は、第１の区間の区間長を、奇数サンプルに設定することを特徴とする請求項６から請求項９のいずれか１項に記載の信号受信装置。
【請求項１１】
前記フィルタバンク出力から減算する成分を、対応する前記レプリカの誤差の大きさに応じてレベル調整するレベル調整部をさらに備えることを特徴とする請求項８に記載の信号受信装置。
【請求項１２】
前記復調手段は、誤り訂正を行う誤り訂正部をさらに備え、誤り訂正した信号成分のうち、復調対象のサブキャリアに対応する成分を除く成分を前記フィルタバンク出力から減算して軟判定値を生成し、前記生成された軟判定値を用いて、再度、誤り訂正を行う、ことを特徴とする請求項８に記載の信号受信装置。
【請求項１３】
前記復調手段は、前記誤り訂正部の前段にデインターリーバをさらに備え、復調対象のサブキャリアに対応する信号成分を除く信号成分のうち、誤り訂正の処理が完了している信号成分を、前記フィルタバンク出力から減算して軟判定値を生成し、前記生成された軟判定値を用いて、再度、誤り訂正を行う、ことを特徴とする請求項８に記載の信号受信装置。
【発明の詳細な説明】
【技術分野】
【０００１】
本発明は、信号受信装置に係わり、特に無線信号を受信する場合の消費電力を低減化することを可能とする信号受信装置に関する。
【背景技術】
【０００２】
無線信号を受信する信号受信装置の低消費電力化の方法として、信号送信装置から時分割で複数のデータを伝送する際に、送信するデータの構成（データ位置）に関する情報をフレームの先頭に挿入し、信号受信装置では、そのデータ位置に関する情報に基づいて、必要なデータだけを受信する方法が提案されている（例えば、特許文献１を参照）。このようにすることで、信号受信装置側では、不要なデータを受信するタイミングにおいては、受信動作を停止することができるため、低消費電力化を図ることが可能になる。
【特許文献１】特開２００１−６９０２３号公報（４頁、図１）
【発明の開示】
【発明が解決しようとする課題】
【０００３】
しかしながら、上述した技術は、送信側から送信されるデータを選択的に受信する場合のデータ送受信において用いることができるに過ぎず、例えば、送信されたデータをすべて受信する必要がある場合には適用することはできない。
【０００４】
本発明は、上記従来技術の問題点を解決するためになされたものであって、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの一部の区間に対応するＯＦＤＭ信号を受信して、受信した一部のＯＦＤＭ信号から原シンボルを復調することで、信号を受信しない区間において信号受信動作を停止して低消費電力化を実現することを可能とした信号受信装置を提供することを目的とする。
【課題を解決するための手段】
【０００５】
本発明の信号受信装置は、１ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）シンボル区間のうちのＯＦＤＭ信号を受信するべき第１の区間を設定する設定手段と、ＯＦＤＭ信号を受信するアンテナと、前記アンテナで受信したＯＦＤＭ信号を周波数変換して、変換ＯＦＤＭ信号を得る周波数変換手段と、前記変換ＯＦＤＭ信号をＡ／Ｄ変換して、デジタルＯＦＤＭ信号を得るＡ／Ｄ変換手段と、前記デジタルＯＦＤＭ信号からＯＦＤＭシンボルを復調する復調手段と、前記周波数変換手段と前記Ａ／Ｄ変換手段への電力の供給を制御する電力制御手段とを備え、前記電力制御手段は、前記区間設定手段で設定されたＯＦＤＭシンボル区間中の第１の区間では前記周波数変換手段および前記Ａ／Ｄ変換手段への電力の供給を行い、前記第１の区間以外の第２の区間では、前記周波数変換手段および前記Ａ／Ｄ変換手段の少なくとも一部への電力の供給を停止し、前記復調手段は、前記デジタルＯＦＤＭ信号のうち前記第１の区間に対応するＯＦＤＭ信号からＯＦＤＭシンボルを復調することを特徴とする。
【発明の効果】
【０００６】
本発明によれば、ＯＦＤＭ信号を受信する信号受信装置において、ＯＦＤＭシンボルの一部の区間に対応するＯＦＤＭ信号を受信して、受信した一部のＯＦＤＭ信号から原シンボルを復調することで、信号を受信しない区間において信号受信動作を停止して電力の消費を低減化することが可能となる。
【発明を実施するための最良の形態】
【０００７】
以下、図面を参照しながら本発明の実施形態に係わる信号受信装置について詳細に説明する。なお、以下の実施形態中では、同一の番号を付した部分については同様の動作を行うものとして、重ねての説明を省略する。
【０００８】
（第１の実施形態）
本発明の第１の実施形態の信号受信装置について説明する。この第１の実施形態に係わる信号受信装置は、「連続受信モード」と「間欠受信モード」とを有する。「連続受信モード」においては、常時、無線信号を受信して信号の復調動作を行うが、「間欠受信モード」では、間欠的に無線信号を受信し、受信した時間区間の信号から原信号を復調する。そして、信号を受信しない時間区間においては、信号受信装置の一部に対する電力供給を停止し、電力消費の低減化を図る。「連続受信モード」と「間欠受信モード」の切替えは区間設定部５で行われるが、区間設定部５におけるモードの切替え動作や、各モードにおける各部の動作の詳細については後述する。
【０００９】
図１は、本発明の第１の実施形態に係わる信号受信装置の構成を示すブロック図である。以下、図１を参照して、本発明の第１の実施形態に係わる信号受信装置の構成および動作について説明する。
【００１０】
アンテナ１で受信されたＯＦＤＭ信号は、周波数変換部２でＩＦ信号またはベースバンド信号に変換され、続いて、Ａ／Ｄ変換部３で、アナログ信号からデジタル信号に変換される。
【００１１】
Ａ／Ｄ変換部３で変換されたデジタル信号は、「連続受信モード」では、スイッチ４を介してシンボル同期部５０に入力される。シンボル同期部５０は、ＯＦＤＭシンボルの同期を行い、シンボル同期信号を生成する。
【００１２】
図２に、シンボル同期部５０の構成を示す。シンボル同期部５０は、少なくとも１ＯＦＤＭシンボル区間の受信信号を用いてシンボル同期信号を生成する。すなわち、受信信号を遅延部２０で有効シンボル時間分だけ遅延させ、相関算出部２１で受信信号と遅延信号との相関値を算出する。相関値は、時刻ごとに、その時刻からＯＦＤＭ信号のガードインターバル（ＧＩ）と同じ長さの時間区間だけ過去の時刻までの信号を用いて算出する。ここで、１ＯＦＤＭシンボルには、ガードインターバル（図３の「Ｘ」の区間）と、そのガードインターバルと同じデータが含まれる区間（図３の「Ｙ」の区間）とが含まれているため、受信信号と遅延信号との間の相関値を算出すると、図３に示すように、相関値には周期的にピークが表れる。そのピークをピーク検出部２２で検出することで、各ＯＦＤＭシンボルの先頭位置を知ることができる。そして、ピーク検出部２２は、検出したピークを用いてシンボル同期信号を生成する。なお、このようなシンボル同期は、「連続受信モード」において行われ、「間欠受信モード」では行われない。
【００１３】
区間設定部５は、図４に示すように、シンボル同期部５０で生成されたシンボル同期信号に基づいて、ＯＦＤＭシンボル区間のうち、ＯＦＤＭ信号を受信すべき区間「Ａ」を設定する。区間「Ａ」の区間長「Ｌ」は、１ＯＦＤＭシンボル区間のうちガードインターバル区間を除いた区間の区間長の１／２以上となるように設定する。これは、後述する信号復調処理において、有効シンボル長の１／２の長さの区間の信号を用いて信号の復調を行うことによる。なお、区間設定方法については後述する。
【００１４】
区間設定部５は、ＯＦＤＭ信号を連続して受信する「連続受信モード」と、間欠的に受信する「間欠受信モード」の切替えも行う。
【００１５】
「連続受信モード」では、電力制御部６により、周波数変換部２およびＡ／Ｄ変換部３は常にオンの状態（電力が供給される状態）に設定される。そして、スイッチ４が接続されて、シンボル同期部５０によるシンボル同期の更新や区間設定部５による区間「Ａ」の設定の更新が継続して行われる。
【００１６】
このとき、スイッチ７ａは、ＦＦＴ部８側へ接続される。すなわち、Ａ／Ｄ変換部３を経由した信号は、ＦＦＴ部８へ入力され、ＦＦＴ部８で有効シンボル区間の受信信号が周波数領域の信号に変換される。ＦＦＴ部８からの出力信号は、次に、複素除算部９に入力され、複素除算部９でチャネル推定値による１タップ等化処理が行われる。そして、判定部１０におけるビット判定処理を経て、ビタビ復号部１１で誤り訂正処理が行われ、原信号が復調される。
【００１７】
一方、「間欠受信モード」では、区間「Ａ」では、電力制御部６により、周波数変換部２およびＡ／Ｄ変換部３などへの電力供給がなされ、ＯＦＤＭ信号の受信が行われるが、区間「Ａ」以外の区間では、周波数変換部２およびＡ／Ｄ変換部３の少なくとも一部の部分への電力供給がオフに設定され、ＯＦＤＭ信号の受信動作が停止される。
【００１８】
一般的に、図５に示すように、高周波信号を処理するデバイスほど過渡応答が早いので、電力供給をオフにできる時間が長い。例えば、ＲＦ帯のＬＮＡ（Ｌｏｗ  Ｎｏｉｓｅ  Ａｍｐｌｉｆｉｅｒ）やミキサーは過渡応答が早く、ベースバンドのアンプは過渡応答が遅い。そこで、例えば、周波数変換部２に含まれるＬＮＡへは、区間「Ａ」でのみ電力の供給を行い、区間「Ａ」以外の区間では電力供給を停止するようにしてもよい。そして、それ以外の部分（アンプなど）への電力供給は区間によらず常に行うようにすることにより、ＬＮＡにおける電力消費を低減させるとともに、電力供給の切替えにともなう過渡応答の遅れにより、信号受信装置の動作が不安定になることを避けることが可能となる。
【００１９】
また、バイアス回路は過渡応答が遅い（数百μｓｅｃオーダー）ので、周波数変換部２やＡ／Ｄ変換部３のバイアス回路へは常に電力を供給するとともに、区間「Ａ」以外の区間では、これらの各部のトランジスタ回路への電力供給を停止するようにしてもよい。この場合、図６に示すように、バイアス回路からの出力のスイッチを切替えることにより、トランジスタ回路への電力の供給を切替えられるようにすることが好ましい。
【００２０】
そして、区間「Ａ」で受信したＯＦＤＭ信号からＯＦＤＭサブキャリア間の干渉を低減して原信号が復調される。
【００２１】
ここで、電力制御部６における電力供給制御の切替えは、アナログ部（周波数変換部２やＡ／Ｄ変換部３など）の過渡応答特性を考慮して、図７に示すように、区間「Ａ」が開始するよりも早いタイミングで行うようにするとよい。また、アナログ部の過渡特性を信号受信装置の電源投入時に自動的に測定するようにしておき、その測定された過渡応答特性に基づいて、電源をオンにするタイミングを設定できるようにしてもよい。
【００２２】
また、「間欠受信モード」では、スイッチ４が解除され、シンボル同期部５０におけるシンボル同期や区間設定部５における区間設定は行われない。
【００２３】
ここで、ＯＦＤＭシンボルのうち、一部のシンボルを用いて原信号を復調する方法としては、例えば、「笠見ほか、“ＯＦＤＭにおけるガードインターバルを超えるマルチパス遅延に対するフィルタバンクを用いた適応等化方式の検討”、２００５年電子情報通信学会ソサイエティ大会、Ｂ−５−７１」に記載された方法を用いることができる。ただし、上記文献に記載された方法では、図８に示すように、遅延波が先行波のガードインターバルを超える伝播環境を想定しており、有効シンボル区間のうち、遅延波による前シンボルからの干渉が含まれない区間を等化に用いている点で本実施形態と異なる。
【００２４】
以下、ＯＦＤＭシンボル区間の一部の区間に対応する信号からＯＦＤＭシンボルを復調する方法について簡単に説明する。 
まず、スイッチ７ａがフィルタバンク１２側へと接続される。そして、フィルタバンク１２が、区間「Ａ」に含まれる信号のうち、有効シンボル長の１／２の長さの区間を抽出して、その抽出された区間に含まれる信号を周波数変換する。続いて、最尤推定部１３が、フィルタバンク１２からの出力ごとに、チャネル推定値とフィルタバンクの周波数特性およびサブキャリアの変調信号の候補から複数のレプリカを生成し、フィルタバンク出力とレプリカとの間の誤差が最小となるレプリカを選択する。さらに、選択したレプリカから、サブキャリアの変調信号を選択する。最尤推定部１３でサブキャリアの変調信号が選択されると、次に、判定部１４がビット判定処理を行い、ビタビ復号部１１で誤り訂正処理が行われ、原信号が復調される。
【００２５】
なお、上述した例では、フィルタバンク１２が、区間「Ａ」から、ひとつの区間だけを抽出して周波数変換する場合について説明したが、図９に示すように、フィルタバンク１２で区間「Ａ」から有効シンボル長の１／２の長さの区間を、時間をずらしながら（τ１，τ２，．．．，τｋ）複数区間抽出し、最尤推定部１３において、抽出された複数の区間ごとにフィルタバンク出力とレプリカとの間の誤差を求め、それらの誤差の平均が最小となるレプリカを選択するようにしてもよい。
【００２６】
このように、「間欠受信モード」において、ＯＦＤＭシンボルの一部である区間「Ａ」から原信号を復調し、区間「Ａ」以外の区間では、信号の受信動作を停止することで、区間「Ａ」以外の区間において、電力の消費を低減化することが可能となる。ここで、周波数変換部２とＡ／Ｄ変換部３の消費電力は、デジタル信号を処理するほかの各部の消費電力の約１０倍程度であり、全体の消費電力の大部分を占めるので、このような間欠受信動作を行うことにより、信号受信装置の大幅な低消費電力化を図ることができる。
【００２７】
次に、図１０を用いて、区間設定部５による区間設定方法を示す。
【００２８】
区間設定部５は、シンボル同期信号に基づいてＯＦＤＭシンボル区間のうちガードインターバル区間を除いた区間の中央を含む区間長「Ｌ」の区間を区間「Ａ」として設定する。例えば、図１０に示すように、ＯＦＤＭシンボル区間のうちガードインターバル区間を除いた区間の中央を中心として、前後に「Ｌ／２」の区間を有する区間を区間「Ａ」として設定する。このように、区間「Ａ」を、ガードインターバル区間を除いた区間の中央部に位置させることにより、シンボル同期が一度確立された後に、伝搬環境の変化によりシンボル同期にずれが生じた場合にも、当該ＯＦＤＭシンボルの前後に送信されたシンボルからの影響を受けにくくなるため、同期ずれによるシンボル間干渉の発生を回避することが可能となる。
【００２９】
図１１は、区間設定部５による別の区間設定方法を示す図である。
【００３０】
図１１に示す例では、区間設定部５は、ガードインターバルを含むＯＦＤＭシンボル区間の中央を中心として、前後に「Ｌ／２」の区間を有する区間を区間「Ａ」として設定している。このようにすることで、遅延波の遅延時間が小さい伝搬環境において、特に、当該ＯＦＤＭシンボルの後に送信されたシンボルによる干渉の発生を回避することが可能となる。
【００３１】
次に、図１２を用いて、区間設定部５におけるモード切替えの方法を説明する。
【００３２】
区間設定部５は、あらかじめ定めた時間「Ｔ」ごとに「間欠受信モード」と「連続受信モード」を切り替えるようにする。上述したように、「連続受信モード」では、シンボル同期部５０がシンボル同期を行う。そのため、伝搬環境の変化などによりシンボル同期がずれた場合でも、「連続受信モード」と「間欠受信モード」を周期的に切替えることにより、「連続受信モード」において定期的なシンボル同期を行うことができる。また、「間欠受信モード」と「連続受信モード」を切り替える時間「Ｔ」を大きい値に設定すれば、「間欠受信モード」における電力消費低減化の効果を長時間得ることができるようになるため、望ましい。
【００３３】
このような区間設定部５における「間欠受信モード」と「連続受信モード」を切替える時間の設定や、「間欠受信モード」における信号を受信する区間「Ａ」の区間長の設定は、受信したＯＦＤＭ信号の品質を品質測定部１５で測定し、測定された品質に基づいて行うことが好適である。以下、品質測定部１５と、品質測定部１５で測定された品質情報に基づく区間設定部５の動作について説明する。
【００３４】
品質測定部１５は、受信したＯＦＤＭ信号の品質を測定し、測定された品質情報を区間設定部５へ送る。ここで、信号品質としては、復調信号の受信電力、ＥＶＭ（Ｅｒｒｏｒ  Ｖａｌｕｅ  Ｍａｇｎｉｔｕｄｅ：変調誤差）、最尤推定における尤度などが用いられる。品質測定部１５から送られた品質情報は区間設定部５に入力され、区間設定部５において、モードの切替え時間「Ｔ」に反映される。具体的には、品質測定部１５から入力された信号品質が低い場合には、モード切替え時間「Ｔ」を小さい値に設定し、「連続受信モード」におけるシンボル同期が頻繁に行われるようにして、信号品質の劣化を回避できるようにする。また、信号品質が低い場合には、区間長「Ｌ」を長い値に設定するようにしてもよい。このようにすることで、ＯＦＤＭサブキャリア間干渉を低減する能力が大きくなるので、信号品質を改善することが可能となる。
【００３５】
なお、上述した実施形態では、区間「Ａ」以外の区間において、周波数変換部２およびＡ／Ｄ変換部３への電力供給を停止する場合の実施形態について説明したが、デジタル信号を処理する部分（例えば、フィルタバンク１２、最尤推定部１３など）についても、復調処理が完了後に電力供給を停止して、低消費電力化することも可能である。
【００３６】
最後に、図１３を用いて、本発明の第１の実施形態に係わる信号受信装置の動作の流れについて説明する。ここで、図１３は、本発明の第１の実施形態に係わる信号受信装置の動作を示すフローチャートである。
【００３７】
まず、区間設定部５において、「連続受信モード」と「間欠受信モード」の設定が行われる（ステップＳ１０１）。信号の受信を開始した段階では、まずシンボル同期を行う必要があるため、「連続受信モード」に設定される。
【００３８】
「連続受信モード」に設定されると、アンテナ１でＯＦＤＭ信号が受信され（ステップＳ１０２）、受信された信号が周波数変換部２、Ａ／Ｄ変換部３へと送られる。「連続受信モード」では、電力制御部６により、周波数変換部２およびＡ／Ｄ変換部３への電力供給が行われているので、受信された信号の周波数変換（ステップＳ１０３）およびＡ／Ｄ変換（ステップＳ１０４）が行われる。
【００３９】
そして、Ａ／Ｄ変換部３でＡ／Ｄ変換された信号は、ＦＦＴ部８、複素除算部９、判定部１０、ビタビ復号部１１を経て原信号へ復調される（ステップＳ１０５）。
【００４０】
また、Ａ／Ｄ変換部３でＡ／Ｄ変換された信号は、別途シンボル同期部５０にも送られ、シンボル同期が行われる（ステップＳ１０６）。そして、シンボル同期された信号に基づいて、区間設定部５において、「間欠受信モード」おける信号を受信する区間「Ａ」が設定される（ステップＳ１０７）。
【００４１】
次に、あらかじめ定められた時間が経過すると、区間設定部５は、「連続受信モード」から「間欠受信モード」へとモードを切替える（ステップＳ１０１）。
【００４２】
「間欠受信モード」では、電力制御部６から周波数変換部２およびＡ／Ｄ変換部３への電力の供給が制御される。すなわち、信号を受信する区間「Ａ」では、周波数変換部２およびＡ／Ｄ変換部３への電力の供給が行われ、アンテナで受信された（ステップＳ１０８）信号の周波数変換（ステップＳ１０９ａ）およびＡ／Ｄ変換（ステップＳ１０９ｂ）が行われる。一方、信号の受信を停止する区間では、周波数変換部２およびＡ／Ｄ変換部３への電力供給が停止される（ステップＳ１０９ｃ）。
【００４３】
「間欠受信モード」における信号の復調は、区間「Ａ」で受信した信号を用いて、フィルタバンク１２、最尤推定部１３、判定部１４、ビタビ復号部１１を介して行われる（ステップＳ１１０）。
【００４４】
そして、さらにあらかじめ定められた時間が経過すると区間設定部５は、「間欠受信モード」から「連続受信モード」へとモードを切替え、上述した動作を繰り返す。
【００４５】
以上が、本発明の第１の実施形態に係わる信号受信装置の動作の流れである。
【００４６】
なお、この信号受信装置は、例えば、汎用のコンピュータ装置を基本ハードウェアとして用いることでも実現することが可能である。すなわち、区間設定部５、電力制御部６、ＦＦＴ部８、複素除算部９、判定部１０、１４、ビタビ復号部１１、フィルタバンク１２、最尤推定部１３、品質測定部１５、および、シンボル同期部５０は、上記のコンピュータ装置に搭載されたプロセッサにプログラムを実行させることにより実現することができる。このとき、信号受信装置は、上記のプログラムをコンピュータ装置にあらかじめインストールすることで実現してもよいし、ＣＤ−ＲＯＭなどの記憶媒体に記憶して、あるいはネットワークを介して上記のプログラムを配布して、このプログラムをコンピュータ装置に適宜インストールすることで実現してもよい。
【００４７】
（第２の実施形態）
本発明の第２の実施形態の信号受信装置について説明する。
【００４８】
図１４は、本発明の第２の実施形態に係わる信号受信装置の構成を示すブロック図である。第１の実施形態と異なる点は、レプリカ減算部１６とビタビ復号部１７である。
【００４９】
「間欠受信モード」において、レプリカ減算部１６は、最尤推定部１３で選択されたレプリカ成分から復調対象のサブキャリアに対応する成分を除いた残りのレプリカ成分をフィルタバンク出力から減算する。これにより、ＯＦＤＭサブキャリア間の干渉が低減された軟判定値が生成される。軟判定値はビタビ復号部１７に入力され、ビタビ復号部１７は、軟判定ビタビ復号処理を行う。
【００５０】
このように本発明の第２の実施形態に係わる信号受信装置によれば、軟判定ビタビ復号処理を行うので、ビタビ復号のパスメトリックを計算する際に雑音の影響も加味することができ、信号受信性能を改善することが可能となる。
【００５１】
（第３の実施形態）
本発明の第３の実施形態の信号受信装置について説明する。
【００５２】
図１５は、本発明の第３の実施形態に係わる信号受信装置の構成を示すブロック図である。第１の実施形態と異なる点は、最小誤差検出部１８とビタビ復号部１９である。
【００５３】
「間欠受信モード」において、最小誤差検出部１８は、最尤推定部１３で計算された誤差から復調対象のサブキャリアの変調信号の候補の各々に対する誤差の最小値を検出する。これにより、変調信号の候補の各々に対するメトリックが生成される。メトリックはビタビ復号部１９に入力され、ビタビ復号部１７は、尤度を考慮したビタビ復号処理を行う。
【００５４】
このように本発明の第３の実施形態に係わる信号受信装置によれば、尤度を考慮してビタビ復号処理を行うので、ビタビ復号のパスメトリックを計算する際に信頼度が低いデータの影響を小さくすることができ、信号受信性能を改善することが可能となる。
【００５５】
（第４の実施形態）
本発明の第４の実施形態の信号受信装置について説明する。
【００５６】
図１６は、本発明の第４の実施形態に係わる信号受信装置の構成を示すブロック図である。第１の実施形態と異なる点は、線形変換部３０と判定部３１である。
【００５７】
「間欠受信モード」において、区間設定部５で設定された区間「Ａ」（区間長「Ｌ」）の受信信号は、線形変換部３０に入力され、線形変換部３０において線形変換処理が行われる。以下に、線形変換処理の例を示す。
【００５８】
有効シンボル長をＮ、データサブキャリア数をＭとすると、ＯＦＤＭ信号の有効シンボル区間のうち、区間「Ａ」（区間長「Ｌ」）に対応する送信信号ｓ（ｎ）（ｎ＝０，１，．．．，Ｌ−１）は、（１）式で与えられる。ただし、区間長「Ｌ」は、Ｎ＞Ｌ≧Ｍとなるように設定されるものとする。
【００５９】
【数１】
2008199400.tif 000003
【００６０】
ｘ（ｋ）は、例えば、ＩＱコンスタレーション上のマッピング点を示し、データが割り当てられないサブキャリア（ｋ＝Ｍ，Ｍ＋１，．．．，Ｎ−１）に関してはｘ（ｋ）＝０であるものとする。
【００６１】
（１）式を行列表現すると（２）式を得る。
【００６２】
【数２】
2008199400.tif 000004
【００６３】
このとき、本実施形態に係わる線形変換のための線形行列は（３）式で与えられる。
【００６４】
【数３】
2008199400.tif 000005
【００６５】
（３）式において、Ｈは行列の複素共役転置、Ｅ｛・｝は期待値、Ｉは単位行列を表す。また、ｐｎは想定される雑音電力を表す。
【００６６】
ここで、特に、ｘ（０），ｘ（１），．．．，ｘ（Ｍ−１）が互いに無相関であり、かつ、送信信号の平均電力をｐｓと仮定すると、（４）式が得られる。
【００６７】
【数４】
2008199400.tif 000006
【００６８】
さらに、ｐｓ＝１、ｐｎ＝０と仮定すると、（５）式が得られる。
【００６９】
【数５】
2008199400.tif 000007
【００７０】
このとき、線形変換部３０で行われる線形変換は、線形行列Ｂを用いて（６）式で与えられる。ここで、ｙ（ｎ）（ｎ＝０，１，．．．，Ｌ−１）は、送信信号ｓ（ｎ）に対応する受信信号である。また、ｘ´（ｎ）（ｎ＝０，１，．．．，Ｍ−１）は、送信側のサブキャリア変調信号ｘ（ｎ）に対応する推定値である。
【００７１】
【数６】
2008199400.tif 000008
【００７２】
このようにして、線形変換部３０において（６）式で表される線形変換処理が行われ、線形変換後の信号が判定部３１へと入力される。
【００７３】
判定部３１は、ビット判定処理を行い、ビット判定処理後の信号がビタビ復号部１１に入力され、復号される。
【００７４】
このように本発明の第４の実施形態に係わる信号受信装置によれば、受信信号を線形変換処理して復調を行なうことにより、区間「Ａ」の受信信号を用いて、通常のＦＦＴ処理に相当する処理を行ない、受信信号の周波数成分を抽出することができるので、復調のための演算量を削減することができる。
【００７５】
（第５の実施形態）
本発明の第５の実施形態の信号受信装置について説明する。
【００７６】
図１７は、本発明の第５の実施形態に係わる信号受信装置の構成を示すブロック図である。第１の実施形態と異なる点は、電力制御部４０、アンテナ４１、周波数変換部４２、D／Ａ変換部４３、他通信システムの変復調部４４である。
【００７７】
本実施形態では、「間欠受信モード」において、区間「Ａ」以外の区間では、他の無線通信システムからのデータの送信または受信を行う。すなわち、アンテナ４１および周波数変換部４２は、区間「Ａ」以外の区間では、他の無線通信システムが送受信するＯＦＤＭ信号の搬送波の周波数帯が設定される。この区間において、他の無線通信システムが受信を行う場合には、アンテナ４１において設定された周波数帯の信号が受信される。受信された信号は、周波数変換部４２およびＡ／Ｄ変換部３を経て、スイッチ７ａを介して他の無線通信システムの変復調部４４に送られる。一方、この区間において送信を行う場合には、他の無線通信システムの変復調部４４から送信された信号がＤ／Ａ変換部４３でアナログ信号に変換され、周波数変換部４２で周波数変換されて、アンテナ４１から送信される。
【００７８】
電力制御部４０は、このように区間「Ａ」以外の区間において、他の無線通信システムからのデータの送受信を行う場合には、周波数変換部４２やＡ／Ｄ変換部３への電力の供給を継続する。一方、区間「Ａ」以外の区間において、他の無線通信システムによるデータの送受信を行わない場合には、周波数変換部４２やＡ／Ｄ変換部３への電力の供給を停止し、電力消費の低減化を図る。
【００７９】
このように本発明の第５の実施形態に係わる信号受信装置によれば、アンテナ４１、周波数変換部４２、Ａ／Ｄ変換部３を異なるシステム間で共有することができるので、電力消費の低減化とともに、無線通信システムを低コスト化することが可能になる。
【００８０】
（第６の実施形態） 
本発明の第６の実施形態の信号受信装置について説明する。
【００８１】
本実施形態の信号受信装置について図１８を参照して説明する。  
本実施形態の信号受信装置は、区間設定部５とシンボル同期部５０との間に、区間指示部１８０１を新たに設置している点が第１の実施形態の装置と異なる。この区間指示部１８０１の指示により、間欠受信区間を前方に設定する。
【００８２】
区間指示部１８０１は、シンボル同期部５０から遅延プロファイルを受け取り、間欠受信区間を決定し、この間欠受信区間を区間設定部５に渡す。すなわち、区間指示部１８０１は、間欠受信区間の時間幅（区間長とも呼ぶ）ＬＯＮと間欠受信区間の開始時刻とを区間設定部５に渡す。なお、遅延プロファイルは、信号受信装置が受け取った電波のパスがどれくらいの時間差で到来しているかを示している。図１９を参照してより詳細に説明する。
【００８３】
本実施形態のシンボル同期部５０、区間指示部１８０１の詳細について図１９を参照して説明する。  
シンボル同期部５０は、遅延部２０，相関算出部２１，プロファイル検出部１９０１，先行波検出部１９０２，最大遅延時間遅延波検出部１９０３を含んでいる。
【００８４】
プロファイル検出部１９０１は、相関算出部２１が算出した、受信信号と遅延信号との相関値を受け取り、相関値の周期的なピークが現れている遅延プロファイルを検出する。
【００８５】
先行波検出部１９０２は、先行波の有効シンボル区間を検出する。先行波検出部１９０２は、例えば、先行波の有効シンボル区間の先頭を検出する。
【００８６】
最大遅延時間遅延波検出部１９０３は、遅延波の先頭から遅延波の最後尾までの時間（最大遅延時間）を検出する。
【００８７】
（１）区間指示部１８０１は、先行波検出部１９０２が検出した有効シンボル区間の先頭を間欠受信区間の開始時刻とする。しかしながら、少し余裕を持たせ、有効シンボル区間の先頭から少し後方にずらした時刻を間欠受信区間の開始時刻としてもよい。区間指示部１８０１は、この間欠受信区間の開始時刻と間欠時間幅ＬＯＮとを区間設定部５に渡す。後に示す図２３が対応する。
【００８８】
（２）区間指示部１８０１は、最大遅延時間遅延波検出部１９０３が検出した最大遅延時間がガードインターバルよりも小さいか否かを判定する。最大遅延時間がガードインターバルよりも小さい場合には、区間指示部１８０１は、さらに、最大遅延時間がガードインターバルよりもどれだけ時間が小さいかを測定する。この場合、区間指示部１８０１は、この時間だけ間欠受信区間の開始位置をガードインターバルの終端時刻から前方にずらす指示を生成する。すなわち、間欠受信区間の開始位置をガードインターバルの終端時刻からこの時間だけ早める指示を生成する。もちろん、ガードインターバルにマージンを持たせている場合には、最大遅延時間が、ガードインターバルからマージンを引いた時間よりもどれだけ小さいかを判定する。後に示す図２２が対応する。
【００８９】
区間指示部１８０１は、通常、上記（１）の処理を行い、上位から指令により上記（２）の処理を行う。また、区間指示部１８０１は、伝搬路の遅延広がりがある閾値より小さい判定した場合には上記（２）の処理を行い、閾値より小さくない場合には上記（１）の処理を行うようにしてもよい。
【００９０】
次に、間欠受信区間の設定位置の一例について図２０を参照して説明する。第１の実施形態と異なる点は、間欠受信区間を前方に設定している点である。  
本実施形態では、区間設定部５は、間欠受信区間の時間幅ＬＯＮを、１ＯＦＤＭシンボル区間のうちガードインターバル区間を除く長さＬＦＦＴの区間のうちの有効シンボル区間の中央より前方を中心とする、区間長ＬＯＮを有する区間に設定する。間欠受信区間を有効シンボル区間の前方に限定することにより、有効シンボル区間のうちの間欠受信区間に含まれない区間を信号処理の時間に充てることができる。したがって、高性能な信号処理を行うことができ、受信性能が上がる。逆に言えば、一定の受信性能を得る状況下では、高性能な信号処理を行うことができれば、その分、間欠受信区間を短くすることができる。
【００９１】
間欠受信区間を有効シンボル区間の前方に限定することにより、信号処理の時間を増やすことができ、高性能な信号処理を行うことができるので、受信性能が上がり、その分、間欠受信の区間を狭めることができる。したがって、無線部および／またはＡ／Ｄ変換器を更に低消費電力化できる。信号処理の時間増加により信号処理部の消費電力が増加するが、無線部とＡ／Ｄ変換器の消費電力に対する信号処理部の消費電力は１／１０程度と小さいので、信号受信装置全体としては低消費電力化できる。
【００９２】
別の効果として、信号処理の内容が同一の場合は、処理時間に余裕ができるので、時間内に処理を完了するために従来パラレル処理を行っていたところを、シリアル処理に変更することができるので、信号処理部の回路規模、つまり、チップサイズを小さくすることができ、チップコストを削減することができる。
【００９３】
比較のため、従来の受信装置における受信処理の開始時刻の一例について図２１を参照して説明する。従来では有効シンボル区間の終了と同時に信号処理を開始するが、本実施形態では、間欠受信区間を有効シンボル区間の前方に設定して間欠受信区間が終了すると同時に信号処理を開始する。すなわち、本実施形態の方が従来に比較して信号処理を開始する時刻が早くなる。
【００９４】
次に、上記（２）の場合に対応する間欠受信区間の設定位置の一例について図２２を参照して説明する。  
図２２において、間欠受信区間を、１ＯＦＤＭシンボル区間の中央より前方を中心とする、区間長ＬＯＮを有する区間に設定している。
【００９５】
このようにすることで、間欠受信区間の開始時刻をガードインターバルまで前方にすることができるので、さらに高性能な信号処理を行うことができる。したがって、受信性能が上がり、その分、間欠受信の区間を狭めることができるので、信号受信装置全体としては低消費電力化できる。特に、伝搬路の遅延広がりが小さい場合はシンボル間干渉が発生しないので有効である。
【００９６】
次に、上記（１）の場合に対応する間欠受信区間の設定位置の一例について図２３を参照して説明する。  
図２３において、１ＯＦＤＭシンボル区間のうちガードインターバル区間を除く区間、すなわち、有効シンボル区間の先頭を間欠受信区間の開始時刻とする、区間長ＬＯＮを有する区間に設定している。図２３とは異なり、ガードインターバルの終了時刻から少し有効シンボル区間にずれた位置を間欠受信区間の開始時刻に設定してもよい。
【００９７】
このようにすることで、間欠受信区間の区間長に関わらず、間欠受信区間の先頭がガードインターバル区間に入り込まない。通常、遅延波の遅延時間がガードインターバルを超えないようにシステム設計されているからシンボル間干渉が発生しない。
【００９８】
以下に、間欠受信区間を有効シンボル区間の前方に限定することにより生じた時間を信号処理時間にさらに付加することにより可能となる高性能な信号処理について、具体的な例をあげて説明する。
【００９９】
本実施形態における、高性能な信号処理を行うＭＬＳＥ等化器（フィルタバンク１２、最尤推定部１３）の一例について図２４を参照して説明する。ここでは、簡単のため、３つのＦＦＴ出力のみを示している。  
間欠受信区間ｎをｎ１≦ｎ≦ｎ２とする。この場合、間欠受信区間長ＬＯＮはＬＯＮ＝ｎ２−ｎ１＋１となる。間欠受信区間長ＬＯＮは、ＦＦＴサイズＬＦＦＴに対して７０％以上の大きさに設定するのが好適である。
【０１００】
なお、ＬＦＦＴポイントのＩＦＦＴ（inverse fast Fourier transform）の出力は次式で与えられる。
【０１０１】
【数７】
2008199400.tif 000009
【０１０２】
ここで、Ｘ（ｋ）はｋ番目のサブキャリアの変調信号である。続いて、長さＬＣＰのガードインターバルがＩＦＦＴ出力の先頭に挿入される。
【０１０３】
【数８】
2008199400.tif 000010
【０１０４】
間欠受信区間における受信信号は次式で与えられる。この受信信号はフィルタバンク１２の入力となる。
【０１０５】
【数９】
2008199400.tif 000011
【０１０６】
ここで、Ｈ（ｋ）はｋ番目のサブキャリアのチャネル応答である。簡単のため、雑音は無視している。  
図２４において、まず、間欠受信区間における受信信号はＬＦＦＴポイントのフィルタバンク１２に入力される。ここで、受信信号はＬＯＮポイントなので、ＬＦＦＴ−ＬＯＮポイントは０が入力される。本実施形態では、ＦＦＴ処理に明示的には窓を付けていないが、長さＬＯＮの矩形窓ｗｎ＝１を付けていると考えることができる。そこで、ＦＦＴ出力をフィルタバンク出力と呼ぶことにする。フィルタバンク出力は次式（１０）で与えられる。
【０１０７】
【数１０】
2008199400.tif 000012
【０１０８】
ここで、Ｗ（ｋ）はｗ’ｎの周波数特性であり、ｗ’ｎは次式（１１）で与えられる。
【０１０９】
【数１１】
2008199400.tif 000013
【０１１０】
ここで、ＬＯＮを奇数サンプルに設定すると、フィルタバンクの窓関数の係数ｗ’ｎを左右対称とすることができ、したがって、フィルタバンクの周波数特性が実数になる。後述するように、レプリカを生成する際にフィルタバンクの周波数特性を用いるので、フィルタバンクの周波数特性が実数になることでレプリカ生成の回路規模を削減できる。
【０１１１】
続いて、フィルタバンク出力に対してＭＬＳＥ２４１０，２４１１，２４１２が適用され、信号が復調される。窓関数の周波数特性により、各フィルタバンク出力にはα個離れた隣接サブキャリア成分のみが漏れ込む。そこで、上記式（１０）は次式（１２）のように書き換えられる。
【０１１２】
【数１２】
2008199400.tif 000014
【０１１３】
上式を用いてＭＬＳＥにおけるレプリカは次式（１３）で与えられる。
【０１１４】
【数１３】
2008199400.tif 000015
【０１１５】
ここで、
【０１１６】
【数１４】
2008199400.tif 000016
【０１１７】
と
【０１１８】
【数１５】
2008199400.tif 000017
【０１１９】
はｋ番目のサブキャリアにおけるチャネル推定値と変調信号の候補である。フィルタバンク出力に対するレプリカの誤差は次式で与えられる。
【０１２０】
【数１６】
2008199400.tif 000018
【０１２１】
式（１４）を用いて、２α＋１個のサブキャリアが推定され、そのうち、ｍ番目のサブキャリアが復調信号として出力される。
【０１２２】
本実施形態では、ＭＬＳＥの演算量を削減するため、次式（１５）を用いた推定を行う。
【０１２３】
【数１７】
2008199400.tif 000019
【０１２４】
ここで、βはαより小さい値（β＜α）である。式（１５）を用いると、ＭＬＳＥで考慮する隣接サブキャリア成分の範囲が狭くなるので、β−α個の隣接サブキャリアの残留成分の影響で推定精度は劣化する。  
図２５は残留成分の影響を示す図である。そこで、ＭＬＳＥの推定値を確定値として用いるのではなく、仮判定値として用いる。すなわち、ＭＬＳＥの推定値を用いて残留サブキャリア成分が計算され、さらに、フィルタバンク出力から減算される。上側成分は上側レプリカ生成部２４０４，２４０５，２４０６で生成され、下側成分は下側レプリカ生成部２４０７，２４０８，２４０９で生成される。残留ＩＣＩ成分が除去されたフィルタバンク出力は次式（１６）で与えられる。
【０１２５】
【数１８】
2008199400.tif 000020
【０１２６】
ここで、
【０１２７】
【数１９】
2008199400.tif 000021
【０１２８】
と
【０１２９】
【数２０】
2008199400.tif 000022
【０１３０】
は下側残留ＩＣＩと上側残留ＩＣＩであり、次式（１７）で与えられる。  
【０１３１】
【数２１】
2008199400.tif 000023
【０１３２】
ここで、
【０１３３】
【数２２】
2008199400.tif 000024
【０１３４】
と
【０１３５】
【数２３】
2008199400.tif 000025
【０１３６】
は隣接フィルタバンクＺ（ｍ−１）、Ｚ（ｍ＋１）においてＭＬＳＥで推定された信号成分である。
【０１３７】
残留ＩＣＩ成分が除去されたフィルタバンク出力Ｚ’（ｍ）は、ｍ番目のチャネル推定値
【０１３８】
【数２４】
2008199400.tif 000026
【０１３９】
の大きさに基づいて除算部２４１３，２４１４，２４１５により信頼度の重み付けが行われる。例えば、変調信号がＱＰＳＫ信号の場合は次式（１８）で与えられる重み付けが行われる。
【０１４０】
【数２５】
2008199400.tif 000027
【０１４１】
上式はフィルタバンク出力の軟判定値と考えることができ、軟判定値が軟判定ビタビ復号器に入力され、誤り訂正が行われた復号ビットは出力される。
【０１４２】
（変形例１）  
図２６に示すように、式（１７）における
【０１４３】
【数２６】
2008199400.tif 000028
【０１４４】
と
【０１４５】
【数２７】
2008199400.tif 000029
【０１４６】
は、それぞれＺ（ｍ−１）、Ｚ（ｍ＋１）に対応する式（１４）の誤差ε（ｍ−１）、ε（ｍ＋１）の大きさに基づいて、誤差部２６０１，２６０２，２６０３が信頼度の重み付けをすることもできる。例えば、次式（１９）、（２０）で与えられる重み付けが行われる。
【０１４７】
【数２８】
2008199400.tif 000030
【０１４８】
誤差が大きいレプリカ成分をフィルタバンクから減算すると、かえって特性が劣化する場合がある。そこで、誤差が大きいときは減算する成分を小さくする。このようにすることで、受信性能を向上することができる。
【０１４９】
（変形例２）  
図２７に示すように、ビタビ復号器２７０１の出力を用いて、変調信号を再変調部２７０２で再変調して
【０１５０】
【数２９】
2008199400.tif 000031
【０１５１】
を得る。
【０１５２】
【数３０】
2008199400.tif 000032
【０１５３】
を用いて、式（１７）を次式（２１）に示すように変更し、上側レプリカ生成部２４０４，２４０５，２４０６、下側レプリカ生成部２４０７，２４０８，２４０９がそれぞれ残留成分を生成、減算して、再度、軟判定ビタビ復号を行う。
【０１５４】
【数３１】
2008199400.tif 000033
【０１５５】
このようにすることで、誤り訂正後の信号が誤っている確率は小さいので、誤り訂正後の信号成分をフィルタバンクから減算することで、受信性能を向上することができる。別の効果として、等化処理に誤り訂正処理を組み合わせることで、等化処理の等化能力を下げて回路規模を削減しつつ受信性能を向上することができる。
【０１５６】
（変形例３）  
図２８に示すように、ビタビ復号器２７０１の各出力に対応する尤度情報を用いて、変調信号を再変調部２８０１で再変調して
【０１５７】
【数３２】
2008199400.tif 000034
【０１５８】
を得る。
【０１５９】
【数３３】
2008199400.tif 000035
【０１６０】
を用いて、式（１７）を次式に示すように変更し、上側レプリカ生成部２４０４，２４０５，２４０６、下側レプリカ生成部２４０７，２４０８，２４０９がそれぞれ残留成分を生成、減算して、再度、軟判定ビタビ復号を行う。
【０１６１】
【数３４】
2008199400.tif 000036
【０１６２】
誤差が大きいレプリカ成分をフィルタバンクから減算すると、かえって特性が劣化する場合がある。そこで、誤差が大きいときは減算する成分を小さくする。このようにすることで、受信性能を向上することができる。
【０１６３】
（変形例４）  
図２９に示すように、復号器２９０３の前段にデインターリーバ２９０２を備え、復調対象のサブキャリアに対応する信号成分を除く信号成分のうち、誤り訂正の処理が完了している信号成分を、部分再変調部２９０４で生成し、部分レプリカ生成部２９０５に入力して残留成分を生成し、フィルタバンク出力から減算して軟判定値を生成し、生成された軟判定値を用いて、再度、復号器２９０３で誤り訂正を行う。
【０１６４】
このようにすることで得られる効果は以下のとおりである。送信側が信号系列の順番を入れ替えるインターリーバを備えている場合、受信側では、信号系列の順番を元に戻すデインターリーバを備え、デインターリーバの処理後、誤り訂正部に入力するのが一般的である。この場合、現ＯＦＤＭ信号に対応する誤り訂正後の信号は、すぐに出力される信号と、数シンボル後に出力される信号とがある。したがって、１ＯＦＤＭ信号に対応する全ての誤り訂正後の信号が揃うまで待っていると数シンボル分の時間を要する。そこで、すぐに出力される信号だけを用いることで、処理時間が短縮し、かつ、受信性能を向上することができる。
【０１６５】
図３０にインターリーバを備えたシステムにおいて、１ＯＦＤＭ信号に対応する誤り訂正後の信号が揃うまでに要するシンボル数の例を示す。ここでは、１ＯＦＤＭ信号に１６個のサブキャリアが含まれている。丸は各サブキャリアに対応する誤り訂正後の信号が出力されるタイミングを示しており、全ての信号が揃うまでに４シンボル分の時間を要する。したがって、黒丸で示すサブキャリア成分を再変調部２９０４に入力する。
【０１６６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１６７】
【図１】本発明の第１の実施形態に係わる信号受信装置の構成を示すブロック図。
【図２】本発明の第１の実施形態のシンボル同期部の構成を示すブロック図。
【図３】本発明の第１の実施形態のシンボル同期の方法を示す図。
【図４】本発明の第１の実施形態における１ＯＦＤＭシンボル中の信号受信区間を示す図。
【図５】本発明の第１の実施形態の構成要素の過渡応答の速さ示す図。
【図６】本発明の第１の実施形態の電力供給の制御方法を示す図。
【図７】本発明の第１の実施形態の電力供給の制御方法を示す図。
【図８】ＯＦＤＭシンボルの一部から原信号を復調する方法の一例を示す図。
【図９】本発明の第１の実施形態の原信号の復調方法の一例を示す図。
【図１０】本発明の第１の実施形態の信号受信区間の一設定例を示す図。
【図１１】本発明の第１の実施形態の信号受信区間の一設定例を示す図。
【図１２】本発明の第１の実施形態のモード切替えの方法を示す図。
【図１３】本発明の第１の実施形態の動作を示すフローチャート。
【図１４】本発明の第２の実施形態に係わる信号受信装置の構成を示すブロック図。
【図１５】本発明の第３の実施形態に係わる信号受信装置の構成を示すブロック図。
【図１６】本発明の第４の実施形態に係わる信号受信装置の構成を示すブロック図。
【図１７】本発明の第５の実施形態に係わる信号受信装置の構成を示すブロック図。
【図１８】本発明の第６の実施形態に係わる信号受信装置の構成を示すブロック図。
【図１９】本発明の第６の実施形態のシンボル同期部の構成を示すブロック図。
【図２０】本発明の第６の実施形態における間欠受信区間の設定位置の一例を示す図。
【図２１】従来の受信処理のタイミングを示す図。
【図２２】本発明の第６の実施形態における間欠受信区間の設定位置の一例を示す図。
【図２３】本発明の第６の実施形態における間欠受信区間の設定位置の一例を示す図。
【図２４】本発明の第６の実施形態に係わる高性能な信号処理を行うＭＬＳＥ等化器の構成を示すブロック図。
【図２５】残留成分の影響を示す図。
【図２６】本発明の第６の実施形態の変形例１に係わる高性能な信号処理を行うＭＬＳＥ等化器の構成を示すブロック図。
【図２７】本発明の第６の実施形態の変形例２に係わる高性能な信号処理を行うＭＬＳＥ等化器の構成を示すブロック図。
【図２８】本発明の第６の実施形態の変形例３に係わる高性能な信号処理を行うＭＬＳＥ等化器の構成を示すブロック図。
【図２９】本発明の第６の実施形態の変形例４に係わる信号受信装置の構成を示すブロック図。
【図３０】１ＯＦＤＭ信号に対応する誤り訂正後の信号が揃うまでに要するシンボル数の一例を示す図。
【符号の説明】
【０１６８】
１，４１・・・アンテナ、２，４２・・・周波数変換部、３・・・Ａ／Ｄ変換部、４，７ａ，７ｂ・・・スイッチ、５・・・区間設定部、６，４０・・・電力制御部、８・・・ＦＦＴ部、９・・・複素除算部、１０，１４，３１・・・判定部、１１，１７，１９，２７０１・・・ビタビ復号部、１２・・・フィルタバンク、１３・・・最尤推定部、１５・・・品質測定部、１６・・・レプリカ減算部、１８・・・最小誤差検出部、２０・・・遅延部、２１・・・相関算出部、２２・・・ピーク検出部、３０・・・線形変換部、４３・・・Ｄ／Ａ変換部、４４・・・他システム変復調部、５０・・・シンボル同期部、１８０１・・・区間指示部、１９０１・・・プロファイル検出部、１９０２・・・先行波検出部、１９０３・・・最大遅延時間遅延波検出部、２４０４，２４０５，２４０６・・・上側レプリカ生成部、２４０７，２４０８，２４０９・・・下側レプリカ生成部、２４１３，２４１４，２４１５・・・除算部、２６０１，２６０２，２６０３・・・誤差部、２７０２，２８０１，２９０４・・・再変調部、２９０２・・・デインターリーバ、２９０３・・・復号器、２９０４・・・部分再変調部、２９０５・・・部分レプリカ生成部。
【図１】
2008199400.tif 000037
【図２】
2008199400.tif 000038
【図３】
2008199400.tif 000039
【図４】
2008199400.tif 000040
【図５】
2008199400.tif 000041
【図６】
2008199400.tif 000042
【図７】
2008199400.tif 000043
【図８】
2008199400.tif 000044
【図９】
2008199400.tif 000045
【図１０】
2008199400.tif 000046
【図１１】
2008199400.tif 000047
【図１２】
2008199400.tif 000048
【図１３】
2008199400.tif 000049
【図１４】
2008199400.tif 000050
【図１５】
2008199400.tif 000051
【図１６】
2008199400.tif 000052
【図１７】
2008199400.tif 000053
【図１８】
2008199400.tif 000054
【図１９】
2008199400.tif 000055
【図２０】
2008199400.tif 000056
【図２１】
2008199400.tif 000057
【図２２】
2008199400.tif 000058
【図２３】
2008199400.tif 000059
【図２４】
2008199400.tif 000060
【図２５】
2008199400.tif 000061
【図２６】
2008199400.tif 000062
【図２７】
2008199400.tif 000063
【図２８】
2008199400.tif 000064
【図２９】
2008199400.tif 000065
【図３０】
2008199400.tif 000066